(57)【特許請求の範囲】
【請求項１】
第１の回線と、前記第１の回線から分岐された複数の第２の回線と、前記第１の回線を流れる第１の電流を計測するための第１の変流器と、前記第２の回線を流れる第２の電流を計測するための複数の第２の変流器と、前記第１の変流器及び前記第２の変流器から、それぞれ計測用の第３の電流及び第４の電流が入力されるともに前記第１の変流器及び前記第２の変流器の変流比が設定される遠隔監視制御装置とが配置された電気所において用いられ、前記遠隔監視制御装置において設定された前記変流比の適否を検査するための変流比検査装置であって、
前記遠隔監視制御装置において設定された前記変流比に基づいた、前記第３の電流と、前記第４の電流の合成との関係が、前記第１の電流と、前記第２の電流の合成とが略一致する関係に対応する場合に、前記遠隔監視制御装置において設定された前記変流比が適正であると判定される
ことを特徴とする変流比検査装置。
【請求項２】
前記第３の電流を一次電流とする第３の変流器と、前記第４の電流を一次電流とする複数の第４の変流器とを備え、前記第１の変流器及び前記第３の変流器の変流比の積と、前記第２の変流器及び前記第４の変流器の変流比の積とが略一致するように、前記第３の変流器及び前記第４の変流器の変流比が設定された場合に、前記第３の変流器の二次電流としての第５の電流と、前記第４の変流器の二次電流としての第６の電流の合成とが略一致するときに、前記遠隔監視制御装置において設定された前記変流比が適正であると判定されることを特徴とする請求項１に記載の変流比検査装置。
【請求項３】
前記第３の変流器及び前記第４の変流器の変流比を設定するためのタップ切替器を備え、前記タップ切替器は、各タップに対応し固定された複数の接触端子と、前記接触端子に対応したスライド可能な可動金具とを有し、タップ切替途中は、切替操作前に接触していた前記可動金具及び前記接触端子を接触させるように構成されていることを特徴とする請求項２に記載の変流比検査装置。
【請求項４】
前記第３の変流器は、前記第３の電流を逆極性で取り込むように接続されることを特徴とする請求項２又は３に記載の変流比検査装置。
【請求項５】
第１の回線と、前記第１の回線から分岐された複数の第２の回線と、前記第１の回線を流れる第１の電流を計測するための第１の変流器と、前記第２の回線を流れる第２の電流を計測するための複数の第２の変流器と、前記第１の変流器及び前記第２の変流器から、それぞれ計測用の第３の電流及び第４の電流が入力されるともに前記第１の変流器及び前記第２の変流器の変流比が設定される遠隔監視制御装置とが配置された電気所において用いられ、前記遠隔監視制御装置において設定された前記変流比の適否を検査するための変流比検査方法であって、
前記遠隔監視制御装置において設定された前記変流比に基づいた、前記第３の電流と、前記第４の電流の合成との関係が、前記第１の電流と、前記第２の電流の合成とが略一致する関係に対応する場合に、前記遠隔監視制御装置において設定された前記変流比が適正であると判定される
ことを特徴とする変流比検査方法。
【発明の詳細な説明】
【技術分野】
【０００１】
この発明は、例えば、変電所等の電気所に設置される変流器の変流比の遠隔監視制御装置における設定を検査するための変流比検査装置及び変流比検査方法に関する。
【背景技術】
【０００２】
従来より、変電所等の電気所の電力系統において、例えば、変圧器が、一次側で送電線に、二次側で下位の母線に接続され、母線には、複数の配電線が接続されているような場合に、変圧器の二次側（の母線の手前）や、配電線には、それぞれ、変流器が、所定の変流比に設定されて配置されている。変流器は、遠隔監視制御装置に接続され、計測された電流値は、伝送路を介して制御所に配置された中央制御装置へ送られ、中央制御装置の表示部に表示される（例えば、特許文献１参照。）。
【０００３】
ところで、例えば、遠隔監視制御装置の取替工事では、単線結線図等の図面を見て、遠隔監視制御装置において多数の変流器の変流比を設定している。このため、図面の記載に誤りがあったとしても、これにより計測ポジション表が作成され、この通りに設定されてしまうことがある。また、誤った電流値が中央制御装置において表示されても見逃され、変電所での電流計の指示と照合を行う際にも、思込みで指示値を見てしまうと、誤りを見逃してしまい、ヒューマンエラーを引き起こしている。
【０００４】
現状では、切替後の実負荷試験時には発見できずに、運用開始後の運転中や点検作業中に、誤設定が判明することもある。遠隔監視制御装置において誤った変流比が設定されると、誤った二次電流値が、中央制御装置において表示されるとともに、設備の過負荷運用や、過負荷遮断を引き起こしてしまう。
【先行技術文献】
【特許文献】
【０００５】
【特許文献１】特開２０００―２４９７２３号公報
【発明の概要】
【発明が解決しようとする課題】
【０００６】
しかしながら、上記従来技術では、ヒューマンエラーを完全になくすことは困難である。
【０００７】
この発明は、前記の課題を解決し、遠隔監視制御装置における変流器の変流比の誤設定の有無を検査して、誤設定の防止に寄与することができる変流比検査装置及び変流比検査方法を提供することを目的としている。
【課題を解決するための手段】
【０００８】
前記の課題を解決するために、請求項１の発明は、第１の回線と、前記第１の回線から分岐された複数の第２の回線と、前記第１の回線を流れる第１の電流を計測するための第１の変流器と、前記第２の回線を流れる第２の電流を計測するための複数の第２の変流器と、前記第１の変流器及び前記第２の変流器から、それぞれ計測用の第３の電流及び第４の電流が入力されるともに前記第１の変流器及び前記第２の変流器の変流比が設定される遠隔監視制御装置とが配置された電気所において用いられ、前記遠隔監視制御装置において設定された前記変流比の適否を検査するための変流比検査装置であって、前記遠隔監視制御装置において設定された前記変流比に基づいた、前記第３の電流と、前記第４の電流の合成との関係が、前記第１の電流と、前記第２の電流の合成とが略一致する関係に対応する場合に、前記遠隔監視制御装置において設定された前記変流比が適正であると判定されることを特徴としている。
【０００９】
請求項１の発明では、第３の電流と第４の電流の合成との関係が、第１の電流と、第２の電流の合成とが略一致する関係に対応する場合に、遠隔監視制御装置において設定された変流比が適正であると判定される。
【００１０】
請求項２の発明は、請求項１に記載の変流比検査装置であって、前記第３の電流を一次電流とする第３の変流器と、前記第４の電流を一次電流とする複数の第４の変流器とを備え、前記第１の変流器及び前記第３の変流器の変流比の積と、前記第２の変流器及び前記第４の変流器の変流比の積とが略一致するように、前記第３の変流器及び前記第４の変流器の変流比が設定された場合に、前記第３の変流器の二次電流としての第５の電流と、前記第４の変流器の二次電流としての第６の電流の合成とが略一致するときに、前記遠隔監視制御装置において設定された前記変流比が適正であると判定されることを特徴としている。
【００１１】
請求項３の発明は、請求項２に記載の変流比検査装置であって、前記第３の変流器及び前記第４の変流器の変流比を設定するためのタップ切替器を備え、前記タップ切替器は、各タップに対応し固定された複数の接触端子と、前記接触端子に対応したスライド可能な可動金具とを有し、タップ切替途中は、切替操作前に接触していた前記可動金具及び前記接触端子を接触させるように構成されていることを特徴としている。
【００１２】
請求項４の発明は、請求項２又は３に記載の変流比検査装置であって、前記第３の変流器は、前記第３の電流を逆極性で取り込むように接続されることを特徴としている。
【００１３】
請求項５の発明は、第１の回線と、前記第１の回線から分岐された複数の第２の回線と、前記第１の回線を流れる第１の電流を計測するための第１の変流器と、前記第２の回線を流れる第２の電流を計測するための複数の第２の変流器と、前記第１の変流器及び前記第２の変流器から、それぞれ計測用の第３の電流及び第４の電流が入力されるともに前記第１の変流器及び前記第２の変流器の変流比が設定される遠隔監視制御装置とが配置された電気所において用いられ、前記遠隔監視制御装置において設定された前記変流比の適否を検査するための変流比検査方法であって、前記遠隔監視制御装置において設定された前記変流比に基づいた、前記第３の電流と、前記第４の電流の合成との関係が、前記第１の電流と、前記第２の電流の合成とが略一致する関係に対応する場合に、前記遠隔監視制御装置において設定された前記変流比が適正であると判定されることを特徴としている。
【発明の効果】
【００１４】
請求項１の発明によれば、第３の電流と第４の電流の合成との関係が、第１の電流と、第２の電流の合成とが略一致する関係に対応する場合に、遠隔監視制御装置において設定された変流比が適正であると判定されるので、遠隔監視制御装置における変流器の変流比の誤設定の有無を検査して、誤設定の防止に寄与することができる。
【００１５】
請求項２の発明によれば、第１の変流器及び第３の変流器の変流比の積と、第２の変流器及び第４の変流器の変流比の積とが略一致するように、第３の変流器及び第４の変流器の変流比が設定された場合に、第５の電流と、第６の電流の合成とが略一致するときに、遠隔監視制御装置において設定された変流比が適正であると判定されるので、遠隔監視制御装置における変流器の変流比の誤設定の有無を確実に検査することができる。
【００１６】
請求項３の発明によれば、タップ切替途中は、切替操作前に接触していた可動金具及び接触端子を接触させるように構成されているので、切替時に、回路が開放されることがなく、円滑に検査を行うことできる。
【００１７】
請求項４の発明によれば、第３の変流器は、第３の電流を逆極性で取り込むように接続されるので、第４の変流器と接続して、電流の合成結果が略０か否かで適否の判定を行うことができ、簡単かつ円滑に検査を行うことができる。
【００１８】
請求項５の発明によれば、第３の電流と第４の電流の合成との関係が、第１の電流と、第２の電流の合成とが略一致する関係に対応する場合に、遠隔監視制御装置において設定された変流比が適正であると判定されるので、遠隔監視制御装置における変流器の変流比の誤設定の有無を検査して、誤設定の防止に寄与することができる。
【図面の簡単な説明】
【００１９】
【図１】この発明の一実施の形態に係る制御所及び電気所の構成を説明するための説明図である。
【図２】この発明の一実施の形態による変流比チェッカの構成を模式的に示す斜視図である。
【図３】同変流比チェッカによる変流比の検査のために用いられる４極のＣＴＴプラグの構成を説明するための説明図であって、同図（ａ）は、同ＣＴＴプラグの構成を示す斜視図、同図（ｂ）は、同ＣＴＴプラグの端子を示す図である。
【図４】同変流比チェッカによる変流比の検査のために用いられる２極のＣＴＴプラグの構成を説明するための説明図であって、同図（ａ）は、同ＣＴＴプラグの構成を示す斜視図、同図（ｂ）は、同ＣＴＴプラグの端子を示す図である。
【図５】同変流比チェッカの構成を示す回路図である。
【図６】同電気所の構成を説明するための説明図である。
【図７】同電気所に配置された遠隔監視制御装置のＴＣ盤の構成を説明するための説明図である。
【図８】同変流比チェッカ、及び同ＣＴＴプラグを用いた変流比の検査方法を説明するための説明図である。
【図９】同変流比チェッカ、及び同ＣＴＴプラグを用いた変流比の検査方法を説明するための説明図であって、同ＴＣ盤のＣＴＴターミナルに同ＣＴＴプラグが挿入された状態を示す図である。
【図１０】同変流比チェッカと４極の同ＣＴＴプラグとの接続方法を説明するための説明図である。
【図１１】同変流比チェッカと２極の同ＣＴＴプラグとの接続方法を説明するための説明図である。
【図１２】同変流比チェッカのタップ切替器の構成及びタップ設定方法を説明するための説明図である。
【図１３】同変流比チェッカにおけるタップ設定方法を説明するための説明図である。
【発明を実施するための形態】
【００２０】
次に、この発明の実施の形態について、図面を用いて詳しく説明する。
【００２１】
図１は、この発明の一実施の形態に係る制御所及び電気所の構成を説明するための説明図、図２は、この発明の一実施の形態による変流比チェッカの構成を模式的に示す斜視図、図３は、同変流比チェッカによる変流比の検査のために用いられる４極のＣＴＴプラグの構成を説明するための説明図であって、同図（ａ）は、同ＣＴＴプラグの構成を示す斜視図、同図（ｂ）は、同ＣＴＴプラグの端子を示す図、図４は、同変流比チェッカによる変流比の検査のために用いられる２極のＣＴＴプラグの構成を説明するための説明図であって、同図（ａ）は、同ＣＴＴプラグの構成を示す斜視図、同図（ｂ）は、同ＣＴＴプラグの端子を示す図、図５は、同変流比チェッカの構成を示す回路図、図６は、同電気所の構成を説明するための説明図、図７は、同電気所に配置された遠隔監視制御装置のＴＣ盤の構成を説明するための説明図、図８は、同変流比チェッカ、及び同ＣＴＴプラグを用いた変流比の検査方法を説明するための説明図、図９は、同変流比チェッカ、及び同ＣＴＴプラグを用いた変流比の検査方法を説明するための説明図であって、同ＴＣ盤のＣＴＴターミナルに同ＣＴＴプラグが挿入された状態を示す図、図１０は、同変流比チェッカと４極の同ＣＴＴプラグとの接続方法を説明するための説明図、図１１は、同変流比チェッカと２極の同ＣＴＴプラグとの接続方法を説明するための説明図、図１２は、同変流比チェッカのタップ切替器の構成及びタップ設定方法を説明するための説明図、図１３は、同変流比チェッカにおけるタップ設定方法を説明するための説明図である。
【００２２】
図２及び図５に示すような、この実施の形態の変流比チェッカ１は、図１に示すように、電気所Ｂに配置された遠隔監視制御装置２において設定されている変流器Ｔａ，Ｔｂ１，Ｔｂ２，…の変流比を検査するために用いられる。遠隔監視制御装置２は、伝送路３を介して制御所Ａに配置された中央制御装置４に接続され、電流値は、中央制御装置４の表示部５に表示されるとともに、電気所Ｂに配置された電流計６によって指示される。なお、電気所Ｂにおける電力系統において、例えば、図１及び図６に示すように、変圧器Ｔｒが、一次側で送電線Ｌ０に、二次側で下位の母線Ｂ１に接続され、母線Ｂ１には、配電線Ｌ１，Ｌ２，…が接続されている。変圧器Ｔｒの二次側には変流器Ｔａが、配電線Ｌ１，Ｌ２，…には、それぞれ、変流器Ｔｂ１，Ｔｂ２，…が配置されている。
【００２３】
また、遠隔監視制御装置２は、図７に示すように、変流器回路にＣＴＴターミナル８ａ，８ｂ，…、９ａ，９ｂ，…が組み込まれたＴＣ盤７を含み、変圧器Ｔｒの二次側の線路（第１の回線）を流れる二次電流Ｉ０や、各配電線（第２の回線）Ｌ１，Ｌ２，…のフィーダ電流Ｉ１，Ｉ２，…等の計測値は、中央制御装置４へ伝送される。
【００２４】
変流比チェッカ１は、図２及び図５に示すように、電流計測部１０と、調整入力部１１，１２ａ，１２ｂ，…，１２ｎと、警報部１３と、表示部１４と、中央処理部（不図示）とを有し、それぞれ、筐体１７に収納又は取り付けられている。
【００２５】
変流比チェッカ１は、図３に示すような４極のＣＴＴプラグ２３を介して、ＴＣ盤７のＣＴＴターミナル８ａ（８ｂ，８ｃ，…）に接続されるとともに、図４に示すような２極のＣＴＴプラグ２４を介して、ＴＣ盤７のＣＴＴターミナル９ａ（９ｂ，９ｃ，…）に接続される。なお、端子ｔ２には、入力変換器２５が、端子ｔａ４（ｔｂ４，ｔｃ４，…）には、入力変換器２６ａ（２６ｂ，２６ｃ，…）が、それぞれ接続されている。
【００２６】
調整入力部１１（１２ａ，１２ｂ，…，１２ｎ）は、変流器１５（１６ａ，１６ｂ，…,１６ｎ）と、スライド式のタップ切替器と、端子１８ａ，１９ａ、２１ａ，２２ａ（２１ｂ，２２ｂ、…、２１ｎ，２２ｎ）とを有している。
【００２７】
タップ切替器は、図１２及び図１３に示すように、変成器の二次巻線５４のＮ１タップ、Ｎ１／２タップ、Ｎ／４タップに対応する接触端子５５ａ，５５ｂ，５５ｃがスライドボックス５８に配置され、接触端子５５ａ，５５ｂ，５５ｃに対応したスライド金具５６ａ，５６ｂ，５６ｃが絶縁連結部５９によってスライド可能に連結されて概略構成されている。
【００２８】
なお、図１２及び図１３においては、調整入力部１１（１２ａ，１２ｂ，…，１２ｎ）のタップ切替器を共通の符号を用いて示している。すなわち、接触端子５５ａ，５５ｂ，５５ｃは、端子ｔ３，ｔ４，ｔ５（ｔａ５，ｔａ６，ｔａ７、…、ｔｎ５，ｔｎ６，ｔｎ７）に対応し、端子６１ａ，６１ｂ，６１ｃは、端子ｔ６，ｔ７，ｔ８（ｔａ８，ｔａ９，ｔａ１０、…、ｔｎ８，ｔｎ９，ｔｎ１０）に対応し、端子５７ａ，５７ｂは、端子ｔ９，ｔ１０（ｔａ１１，ｔａ１２、…、ｔｎ１１，ｔｎ１２）に対応している。
【００２９】
変流器１５の一次巻線の両端は、端子１８ａ，１９ａに接続され、ＣＴＴプラグ２３を介して、ＣＴＴターミナル８ａ（８ｂ，８ｃ，…）の端子ｔ１，ｔ２に接続される。また、変流器１５の二次巻線の両端は、端子ｔ３，ｔ１０に接続され、中間点はｔ４に、中間点と一端との中間点は端子ｔ５に、それぞれ接続され、端子ｔ３，ｔ４，ｔ５は、対応する端子ｔ６，ｔ７，ｔ８と接続又は非接続とされることで、タップ切替がなされる。
【００３０】
また、変成器１５においてのみ、電流Ｉａを逆極性で取り込むように接続する。これにより、適正な場合は、電流Ｉｃは、電流Ｉｄ１＋Ｉｄ２＋…と大きさが略等しくなり、電流計測部１０で計測される電流は略０となる。
【００３１】
ここで、端子ｔ３が選択され、端子ｔ３，ｔ６が接続されると、二次電流が流れる部分の二次巻線の巻数Ｎ２は、一次巻線の巻数Ｎ１に対して、Ｎ２＝Ｎ１となり、端子ｔ４が選択され、端子ｔ４，ｔ７が接続されると、二次巻線の上記巻数Ｎ２は、一次巻線の巻数Ｎ１に対して、Ｎ２＝Ｎ１／２となり、端子ｔ５が選択され、端子ｔ５，ｔ８が接続されると、二次巻線の巻数Ｎ２は、一次巻線の巻数Ｎ１に対して、Ｎ２＝Ｎ１／４となる。
【００３２】
すなわち、変流器Ｔａにおける変流比をＮａとすると、Ｎ１タップ（端子ｔ３選択）の場合は、（Ｎ１（Ｉ０／Ｎａ）＝Ｎ１（Ｉ０／Ｎａ））となり、Ｎ１／２タップ（端子ｔ４選択）の場合は、（Ｎ１（Ｉ０／Ｎａ）＝（Ｎ１／２）（２Ｉ０／Ｎａ））となり、Ｎ１／４タップ（端子ｔ５選択）の場合は、（Ｎ１（Ｉ０／Ｎａ）＝（Ｎ１／４）（４Ｉ０／Ｎａ））となる。
【００３３】
同様にして、変流器１６ａ（１６ｂ，…,１６ｎ）の一次巻線の両端は、端子２１ａ，２２ａ（２１ｂ，２２ｂ、…、２１ｎ，２２ｎ）に接続され、ＣＴＴプラグ２４を介して、ＣＴＴターミナル９ａ（９ｂ，９ｃ，…）の端子ｔａ３，ｔａ４（ｔｂ３，ｔｂ４，…，ｔｎ３，ｔｎ４）に接続される。
【００３４】
また、変流器１６ａ（１６ｂ，…,１６ｎ）の二次巻線の両端は、端子ｔａ５，ｔａ１２（ｔｂ５，ｔｂ１２，…，ｔｎ５，ｔｎ１２）に接続され、中間点はｔａ６（ｔｂ６，…，ｔｎ６）に、中間点と一端との中間点は端子ｔａ７（ｔｂ７，…，ｔｎ７）に、それぞれ接続され、端子ｔａ５（ｔｂ５，…，ｔｎ５），ｔａ６（ｔｂ６，…，ｔｎ６），ｔａ７（ｔｂ７，…，ｔｎ７）は、対応する端子ｔａ８（ｔｂ８，…，ｔｎ８），ｔａ９（ｔｂ９，…，ｔｎ９），ｔａ１０（ｔｂ１０，…，ｔｎ１０）と接続又は非接続とされることで、タップ切替がなされる。
【００３５】
ここで、端子ｔａ５（ｔｂ５，…，ｔｎ５）が選択され、端子ｔａ５（ｔｂ５，…，ｔｎ５），ｔａ８（ｔｂ８，…，ｔｎ８）が接続されると、二次電流が流れる部分の二次側巻線の巻数Ｎ２は、一次側巻線の巻数Ｎ１に対して、Ｎ２＝Ｎ１となり、端子ｔａ６（ｔｂ６，…，ｔｎ６）が選択され、端子ｔａ６（ｔｂ６，…，ｔｎ６），ｔａ９（ｔｂ９，…，ｔｎ９）が接続されると、二次側巻線の上記巻数Ｎ２は、一次側巻線の巻数Ｎ１に対して、Ｎ２＝Ｎ１／２となり、端子ｔａ７（ｔｂ７，…，ｔｎ７）が選択され、端子ｔａ７（ｔｂ７，…，ｔｎ７），ｔａ１０（ｔｂ１０，…，ｔｎ１０）が接続されると、二次巻線の上記巻数Ｎ２は、一次巻線の巻数Ｎ１に対して、Ｎ２＝Ｎ１／４となる。
【００３６】
また、例えば、端子ｔａ１２と、端子ｔｂ８に接続された端子ｔｂ１１とが接続され、各変流器１５（１６ａ，１６ｂ，…,１６ｎ）の二次側巻線は、直列に接続される。また、端子ｔａ８に接続された端子ｔａ１１と、端子ｔ１０とは、電流計測部１０に接続される。
【００３７】
タップ設定は、遠隔監視制御装置２において変流比に基づいて、変流比が最も小さい配電線用の変流器に対応する調整入力部１２ａ（１２ｂ，…，１２ｎ）における設定をベースとして、例えば、この調整入力部１２ａ（１２ｂ，…，１２ｎ）において、Ｎ１タップとして、二次電流を小さくし、他の調整入力部１１（１２ａ，１２ｂ，…，１２ｎ）において、Ｎ１／２タップ、Ｎ１／４タップ等とする。
【００３８】
例えば、調整入力部１１，１２a，１２ｂ，…で、変流器Ｔａ，Ｔｂ１，Ｔｂ２，…の変流比が、１２００／５、６００／５、３００／５，…等と設定されていれば、Ｎ１／４タップ、Ｎ１／２タップ、Ｎ１タップ、…等と設定する。
【００３９】
一般には、遠隔監視制御装置２において設定されている変流器Ｔａ，Ｔｂ１，Ｔｂ２，…の変流比をα０，α１，α２，…とし、タップ設定する変流器１５，１６ａ，１６ｂ，…の変流比をβ０，β１，β２，…として、（α０β０＝α１β１＝α２β２＝…）となるように、各変流器１５（１６ａ，１６ｂ，…）についてタップ設定を行えば良い。これにより、変流器１６ａ，１６ｂ，…の二次電流の合成結果と、変流器１５の二次電流とを比較して、両者が一致するか否かによって、検査（変流比の適否の判定）を行うことができる。
【００４０】
上記中央処理部は、電流計測部１０で計測された電流値（すなわち、各変流器１５（１６ａ，１６ｂ，…,１６ｎ）の二次巻線に流れる電流の合成結果）が、略０の場合は、適正、これ以外の場合は、不適正と判定し、電流値（及び誤差）と判定結果とを、表示部１４に表させるとともに、不適正と判定した場合には、警報部１３に警報音を出力させる。
【００４１】
例えば、図５に示すように、ｎ＝２で、Ｉａ＝５Ａ、Ｉｂ１＝５Ａ、Ｉｂ２＝５Ａの場合に、変流器Ｔｂ２の変流比が、遠隔監視制御装置２において、６００／５のところ、誤って３００／５に設定されていると、調整入力部１２ｂでＮ１タップとし、変流比が６００／５の変流器Ｔｂ１に対応する調整入力部１２ａでＮ１／２タップとし、変流比が１２００／５の変流器Ｔａに対応する調整入力部１１でＮ１タップ／４とすることとなる。この場合は、Iｃ＝２０Ａ、Ｉｄ１＝−１０Ａ、Ｉｄ２＝−５Ａで、ΣI＝２０−１０−５＝５Ａとなり、３００Ａの差分が生じていることがわかり、不適正と判定される。
【００４２】
これに対して、変流器Ｔｂ２の変流比が、遠隔監視制御装置２において、正しく６００／５に設定されていると、調整入力部１２ｂでＮ１／２タップとし、調整入力部１２ａでＮ１／２タップとし、調整入力部１１でＮ１タップ／４とすることとなる。この場合は、Iｃ＝２０Ａ、Ｉｄ１＝−１０Ａ、Ｉｄ２＝−１０Ａで、ΣI＝０Ａとなり、適正と判定される。
【００４３】
ＣＴＴプラグ２３は、図３に示すように、上下に互いに絶縁された各一対の接触子２７，２８が絶縁板２９に設けられ、一対の接触子２７，２８の反対側には、同軸上に配設された一対の端子３１ａ，３１ｂ（３２ａ，３２ｂ、３３ａ，３３ｂ、３４ａ，３４ｂ）が接触子２７，２８に接続されて概略構成されている。
【００４４】
ＣＴＴプラグ２４は、図４に示すように、上下に互いに絶縁された各一対の接触子３６，３７が絶縁板３８に設けられ、一対の接触子３６，３７の反対側には、同軸上に配設された一対の端子３９ａ，３９ｂ（４１ａ，４１ｂ）が接触子３６，３７に接続されて概略構成されている。
【００４５】
次に、図８乃至図１３を参照して、変流比チェッカ１の動作について説明する。まず、変流比チェッカ１の調整入力部１１（１２ａ，１２ｂ，…，１２ｎ）において、タップ設定を行う。タップ設定は、遠隔監視制御装置２において設定されている変流比に基づいて、変流比が最も小さい配電線用の変流器に対応する調整入力部１２ａ（１２ｂ，…，１２ｎ）における設定をベースとして、例えば、この調整入力部１２ａ（１２ｂ，…，１２ｎ）において、Ｎ１タップとして、二次電流を小さくし、他の調整入力部１１（１２ａ，１２ｂ，…，１２ｎ）において、Ｎ１／２タップ、Ｎ１／４タップ等とする。
【００４６】
例えば、調整入力部１１，１２a，１２ｂ，…で、変流器Ｔａ，Ｔｂ１，Ｔｂ２，…の変流比が、１２００／５、６００／５、３００／５，…等と設定されていれば、Ｎ１／４タップ、Ｎ１／２タップ、Ｎ１タップ、…等と設定する。
【００４７】
次に、図８及び図９に示すように、変流比チェッカ１を、ＣＴＴプラグ２３，２４を介して、遠隔監視制御装置２のＴＣ盤７に接続する。すなわち、図８及び図１０に示すように、変流比チェッカ１の端子１８ａ，１９ａと、ＣＴＴプラグ２３の端子３２ａ，３２ｂとを配線ｒ１，ｒ２によって、接続する。ここで、導通金具５１ａ，５１ｂ，５１ｃによって、計測対象外の端子３１ａ，３１ｂ、端子３３ａ，３３ｂ、端子３４ａ，３４ｂは、短絡させておく。
【００４８】
次に、図８及び図１１に示すように、変流比チェッカ１の端子２１ａ，２２ａ（２１ｂ，２２ｂ、…、２１ｎ，２２ｎ）と、ＣＴＴプラグ２４の端子３９ａ，３９ｂとを配線ｒ３，ｒ４によって接続する。ここで、導通金具５２ａによって、計測対象外の端子４１ａ，４１ｂは短絡させておく。次に、図９に示すように、ＣＴＴプラグ２３を、ＴＣ盤７の対応するＣＴＴターミナル８ａ（８ｂ，８ｃ，…）のプラグ挿入口に挿入するとともに、ＣＴＴプラグ２４を、ＴＣ盤７の対応するＣＴＴターミナル９ａ（９ｂ，９ｃ，…）のプラグ挿入口に挿入する。
【００４９】
中央処理部は、電流測定部１０で計測された電流値（すなわち、各変成器１５（１６ａ，１６ｂ，…,１６ｎ）の二次巻線に流れる電流の合成結果）が、略０の場合は、適正、これ以外の場合は、不適正と判定し、電流値（及び誤差）と判定結果とを、表示部１４に表させるとともに、不適正と判定した場合には、警報部１３に警報音を出力させる。
【００５０】
例えば、図５に示すように、ｎ＝２で、Ｉａ＝５Ａ、Ｉｂ１＝５Ａ、Ｉｂ２＝５Ａの場合に、変流器Ｔｂ２の変流比が、遠隔監視制御装置２において、６００／５のところ、３００／５に設定されていると、調整入力部１２ｂでＮ１タップとし、変流比が６００／５の変流器Ｔｂ１に対応する調整入力部１２ａでＮ１／２タップとし、変流比が１２００／５の変流器Ｔａに対応する調整入力部１１でＮ１タップ／４とすることとなる。この場合は、Iｃ＝２０Ａ、Ｉｄ１＝−１０Ａ、Ｉｄ２＝−５Ａで、ΣI＝５Ａとなり、不適正と判定される。
【００５１】
これに対して、変流器Ｔｂ２の変流比が、遠隔監視制御装置２において、６００／５に設定されていると、調整入力部１２ｂでＮ１／２タップとし、調整入力部１２ａでＮ１／２タップとし、調整入力部１１でＮ１タップ／４とすることとなる。この場合は、Iｃ＝２０Ａ、Ｉｄ１＝−１０Ａ、Ｉｄ２＝−１０Ａで、ΣI＝０Ａとなり、適正と判定される。
【００５２】
次に、図１２及び図１３を用いて、タップ切替方法について詳述する。まず、Ｎ１／２タップが選択されている場合は、図１２（ａ）に示すように、スライド金具５６ｂが、接触端子５５ｂに接触し、かつ、スライド金具５６ａ，５６ｃは、接触端子５５ａ，５５ｃから外れるように配置される。この結果、図１３（ａ）に示すように、端子５５ｂと端子６１ｂとが接続されて、電流Ｉｄａが流れる。
【００５３】
次に、この状態からＮ１タップに切り替えたい場合は、図１２（ｂ）に示すように、スライド金具５６ａ，５６ｂ，５６ｃをスライドさせて、スライド金具５６ｂが、接触端子５５ｂに接触し、スライド金具５６ａも、接触端子５５ａに接触し、かつ、スライド金具５６ｃは、接触端子５５ｃから外れるように配置される状態を経過させる。ここで、図１３（ｂ）に示すように、端子５５ｂと端子６１ｂとが接続されて、電流Ｉｄｃが流れ、かつ、端子５５ａと端子６１ａとが接続されて、電流Ｉｄｂが流れる。
【００５４】
次に、図１２（ｃ）に示すように、スライド金具５６ａ，５６ｂ，５６ｃをさらにスライドさせて、スライド金具５６ａが、接触端子５５ａに接触し、かつ、スライド金具５６ｂ，５６ｃは、接触端子５５ｂ，５５ｃから外れるように配置させる。この結果、図１３（ｃ）に示すように、端子５５ａと端子６１ａとが接続されて、電流Ｉｄｄが流れる。
【００５５】
次に、Ｎ１／４タップに切り替えたい場合は、図１２（ｄ）に示すように、スライド金具５６ａ，５６ｂ，５６ｃをスライドさせて、スライド金具５６ｃが、接触端子５５ｃに接触し、スライド金具５６ａ（５６ｂ）も、接触端子５５ａ（５６ｂ）に接触する状態を経過させてから、さらに、スライド金具５６ａ，５６ｂ，５６ｃをスライドさせて、スライド金具５６ｃが、接触端子５５ｃに接触し、かつ、スライド金具５６ａ，５６ｂは、接触端子５５ａ，５５ｂから外れるように配置させる。この結果、図１３（ｄ）に示すように、端子５５ｃと端子６１ｃとが接続されて、電流Ｉｄｅが流れる。
【００５６】
こうして、この実施の形態の構成によれば、電流計測部１０によって、電流値を計測し、フィーダ電流Ｉ１，Ｉ２，…に対応する変流器１６ａ，１６ｂ，…の二次電流の合成と、二次電流Ｉ０に対応する変流器１５の二次電流とが、略一致するか否かによって、変流器Ｔａ、変流器Ｔｂ１，Ｔｂ２，…の変流比が適正値か否か判定するので、遠隔監視制御装置２における変流器の変流比の誤設定の有無を検査して、誤設定の防止に寄与することができる。したがって、設備の過負荷運用や過負荷遮断を防止し、電力の安定供給に寄与することができる。
【００５７】
また、タップ切替時に、隣接するスライド金具と接触端子とも接触する状態を経過させるので、回路が開放されることがなく、円滑に検査を行うことできる。また、変成器１５においてのみ、電流Ｉａを逆極性で取り込むように接続するので、変流器１６ａ等と接続して、電流の合成結果が略０か否かで適否の判定を行うことができ、簡単かつ円滑に検査を行うことができる。
【００５８】
以上、この発明の実施の形態を図面を参照して詳述してきたが、具体的な構成はこれらの実施の形態に限られるものではなく、この発明の要旨を逸脱しない範囲の設計の変更等があってもこの発明に含まれる。例えば、上述した実施の形態では、各変流比の積が、（α０β０＝α１β１＝α２β２＝…）となるように、各変流器１５（１６ａ，１６ｂ，…）についてタップ設定を行い、変流器１６ａ，１６ｂ，…の二次電流の合成と、変流器１５の二次電流とを比較して、両者が一致するか否かによって、遠隔監視制御装置２において設定されている変流比について、検査を行う場合について述べたが、各変流比の積について、（α０β０）と、（α１β１），（α２β２），…とが一定の比の値となるように、各変流器１５（１６ａ，１６ｂ，…）についてタップ設定を行い、変流器１６ａ，１６ｂ，…の二次電流の合成と、変流器１５の二次電流とを比較して、一定の比になるか否かによって検査を行うようにしても良い。
【００５９】
また、変成器１５において、必ずしも、電流Ｉａを逆極性で取り込むように接続しなくても良い。また、所定の調整入力部において、タップを固定して、タップ切替器を廃しても良い。また、変流比チェッカにおいて、表示部を廃して、単に電流計の指示によって検査結果を示すようにしても良い。また、表示に加えて又は代えて、音声で計測値や判定結果を報知するようにしても良い。
【産業上の利用可能性】
【００６０】
変電所における電力系統としては、１バンク系統のほか、２重母線系統や、２バンク系統の場合等に適用できる。また、電気所として、変電所のほか、発電所等について適用できる。
【符号の説明】
【００６１】
１  変流比チェッカ（変流比検査装置）
２  遠隔監視制御装置
１５  変流器（第３の変流器）
１６ａ，１６ｂ，…  変流器（第４の変流器）
５５ａ，５５ｂ，５５ｃ  接触端子
５６ａ，５６ｂ，５６ｃ  スライド金具（可動金具）
Ｂ  電気所
Ｉ０  二次電流（第１の電流）
Ｉ１，Ｉ２，…  フィーダ電流（第２の電流）
Ｉａ  電流（第３の電流）
Ｉｂ１，Ｉｂ２，…  電流（第４の電流）
Ｉｃ  電流（第５の電流）
Ｉｄ１，Ｉｄ２，…  電流（第６の電流）
Ｌ１，Ｌ２，…  配電線（第２の回線）
Ｔａ  変流器（第１の変流器）
Ｔｂ１，Ｔｂ２，…  変流器（第２の変流器）
【図１】
0005420431.tif 000002
【図２】
0005420431.tif 000003
【図３】
0005420431.tif 000004
【図４】
0005420431.tif 000005
【図５】
0005420431.tif 000006
【図６】
0005420431.tif 000007
【図７】
0005420431.tif 000008
【図８】
0005420431.tif 000009
【図９】
0005420431.tif 000010
【図１０】
0005420431.tif 000011
【図１１】
0005420431.tif 000012
【図１２】
0005420431.tif 000013
【図１３】
0005420431.tif 000014